(57)【要約】【課題】  全体として小型化が可能な光学素子を提供する。【解決手段】  予め射出成形等により形成された基板レンズ１（平板又は球面レンズ）と非球面形状を有する金型２との間に、紫外線硬化型樹脂３を挟み込み、基板レンズ１と金型２とで押圧して型どりをする（ａ）。基板レンズ１は、平面図（Ａ）に示すように、円形であるが、その一部に張り出し部１ａが形成されている。この張り出し部１ａは、基板レンズ１及びこれから製造される光学素子の特性に影響を及ぼさない位置に設けられ、影響を及ぼさない大きさとされている。このような状態で、基板レンズ１を通して紫外線を照射し、紫外線硬化型樹脂３を硬化させる。（ｂ）続いて、レンズ剥がし用治具４を用いて、張り出し部１ａを図の下側から押圧して、紫外線硬化型樹脂３と金型２とを剥離させる（ｃ）。これにより、基板レンズ１と紫外線硬化型樹脂３とが密着したレンズが成形される。【選択図】図１
2007072017.tif 000002
【特許請求の範囲】
【請求項１】
少なくともその一部が、光学素材に金型を押し付けることによって成形を行って形成される光学素子であって、前記光学素子の外周部の一部には、前記光学素子を使用する際に光学特性に影響を及ぼさない位置に、張り出し部が設けられていることを特徴とする光学素子。
【請求項２】
少なくともその一部が射出成形により形成される光学素子であって、前記光学素子の外周部の一部には、射出成形の際に使用されたゲート中に残された成形体が、張り出し部としてそのまま残されていることを特徴とする光学素子。
【請求項３】
頭部に装着され、片目に映像を表示するヘッドマウントディスプレイであって、目に映像を表示する表示部と、前記表示部を片側から支える支持部とを有しており、請求項１又は請求項２に記載の光学素子が使用され、その前記張り出し部が、前記支持部側に向けられて、前記光学素子を前記表示部に保持していることを特徴とするヘッドマウントディスプレイ。
【発明の詳細な説明】
【技術分野】
【０００１】
本発明は、光学素子及びヘッドマウントディスプレイに関するものである。
【背景技術】
【０００２】
複雑な形状を持つ光学素子の成形方法にPAG(Plastic on the Aspherical Glass Lens)成型法がある。この方法は基板となる平面もしくは球面のレンズと非球面金型との間に流し込んだUV硬化樹脂にUV光を照射してレンズとUV硬化樹脂とを一体化した非球面レンズの成型方法である。
【０００３】
以下、このようなレンズの製造方法の例を図４を用いて説明する。予め射出成形等により形成された基板レンズ３１（平板又は球面レンズ）と非球面形状を有する金型３２との間に、紫外線硬化型樹脂３３を挟み込み、基板レンズ３１と金型３２とで押圧して型どりをする（ａ）。そして、基板レンズ３１を通して紫外線を照射し、紫外線硬化型樹脂３３を硬化させる。（ｂ）
続いて、レンズ剥がし用治具３４を用いて、基板レンズ３１を図の下側から押圧して、紫外線硬化型樹脂３３と金型３２とを剥離させる（ｃ）。これにより、基板レンズ３１と紫外線硬化型樹脂３３とが密着したレンズが成形される。
【発明の開示】
【発明が解決しようとする課題】
【０００４】
しかしながら、図４からも分かるように、剥離を行うとき、レンズ剥離用治具３４と基板レンズ３１を当接させなくてはならず、そのために、基板レンズ３１を大きく形成する必要があるという問題が生じていた。基板レンズ３１を大きくすると、その分材料が無駄になるばかりでなく、それを使用する装置の大型化につながるという問題点があった。
【０００５】
本発明はこのような事情に鑑みてなされたもので、全体として小型化が可能な光学素子、及びそれを使用したヘッドマウントディスプレイを提供することを課題とする。
【課題を解決するための手段】
【０００６】
前記課題を解決するための第１の手段は、少なくともその一部が、光学素材に金型を押し付けることによって成形を行って形成される光学素子であって、前記光学素子の外周部の一部には、前記光学素子を使用する際に光学特性に影響を及ぼさない位置に、張り出し部が設けられていることを特徴とする光学素子である。
【０００７】
本手段においては、光学素子の外周部の一部に張り出し部が設けられているので、レンズを金型から剥離するとき、レンズ剥離用治具を、この張り出し部に当接させて剥離力を加えればよい。よって、レンズ全体を大きくする必要が無くなるので、レンズが小型化できる。
【０００８】
前記課題を解決するための第２の手段は、少なくともその一部が射出成形により形成される光学素子であって、前記光学素子の外周部の一部には、射出成形の際に使用されたゲート中に残された成形体が、張り出し部としてそのまま残されていることを特徴とする光学素子である。
【０００９】
射出成形によりレンズを成形するときは、型の中キャビティ部に樹脂等を注入するために型にゲート（注入口）が設けられる。通常の場合は、射出成形が終了すれば、このゲート中に残った樹脂等の成形体は切り離されるが、本手段においては、この成形体を切り離さないようにしておく、そして、このレンズを基板レンズとして使用して前記第１の手段と同じように光学素子を形成し、光学素子を金型から剥離するとき、この部分を張り出し部として使用し、レンズ剥離用治具を、この張り出し部に当接させて剥離力を加えればよい。よって、レンズ全体を大きくする必要が無くなるので、レンズが小型化できる。
【００１０】
前記課題を解決するための第３の手段は、頭部に装着され、片目に映像を表示するヘッドマウントディスプレイであって、目に映像を表示する表示部と、前記表示部を片側から支える支持部とを有しており、前記第１の手段又は第２の手段である光学素子が使用され、その前記張り出し部が、前記支持部側に向けられて、前記光学素子を前記表示部に保持していることを特徴とするヘッドマウントディスプレイである。
【００１１】
ヘッドマウントディスプレイにおいては、表示部には、画像を目に投影するための光学素子が置かれるが、本手段においては、この光学素子として第１の手段又は第２の手段である光学素子を使用し、その張り出し部が、ヘッドマウントディスプレイの支持部側に向けられて、光学素子を表示部に保持するようになっている。よって、はみ出した張り出し部を保持部として有効に利用できる。又、片目用のヘッドマウントディスプレイの支持部側には空間があるので、この部分に張り出し部を配置することにしても、ヘッドマウントディスプレイの大型化をもたらすことはない。
【発明の効果】
【００１２】
本発明によれば、全体として小型化が可能な光学素子、及びそれを使用したヘッドマウントディスプレイを提供することができる。
【発明を実施するための最良の形態】
【００１３】
以下、本発明の実施の形態の例を、図を用いて説明する。図１は、本発明の実施の形態の１例である光学素子の製造方法を示す図である。予め射出成形等により形成された基板レンズ１（平板又は球面レンズ）と非球面形状を有する金型２との間に、紫外線硬化型樹脂３を挟み込み、基板レンズ１と金型２とで押圧して型どりをする（ａ）。基板レンズ１は、平面図（Ａ）に示すように、円形であるが、その一部に張り出し部１ａが形成されている。この張り出し部１ａは、基板レンズ１及びこれから製造される光学素子の特性に影響を及ぼさない位置に設けられ、影響を及ぼさない大きさとされている。
【００１４】
このような状態で、基板レンズ１を通して紫外線を照射し、紫外線硬化型樹脂３を硬化させる。（ｂ）続いて、レンズ剥がし用治具４を用いて、張り出し部１ａを図の下側から押圧して、紫外線硬化型樹脂３と金型２とを剥離させる（ｃ）。これにより、基板レンズ１と紫外線硬化型樹脂３とが密着したレンズが成形される。
【００１５】
図４と図１を比べてみると分かるように、本発明の実施の形態である図１の方が、基板レンズ１の直径を小さくできるので、光学素子を小型化できる。張り出し部１ａは、その後に切断して除去するか、後に述べるように光学素子の保持部として使用することもできる。
【００１６】
基板レンズ１を射出成形で製造するときには、金型に、金型中のキャビティに樹脂等等を導くためのゲート（注入口）が設けられる。そして、樹脂等が固まって成形品が形成されたとき、ゲート中に入っていた樹脂等も、成型品の一部につながった形で取り出される。通常の場合は、その後、その部分を切り捨てるが、この部分を切り捨てないで残し、レンズ剥がし用治具４をこの部分に当接させて押し、紫外線硬化型樹脂３と金型２とを剥離させるための張り出し部として使用してもよい。
【００１７】
ところで、人間の目の片側に、映像を投影表示し、映像そのものを楽しんだり、コンピュータの表示端末として使用するために、ヘッドマウントディスプレイが開発されつつある。本発明のヘッドマウントディスプレイの実施の形態の１例を図２に示す。この実施の形態の表示装置は、装着者Ｍに画像を表示するための表示手段である表示部１１を有している。この実施の形態では、表示部１１は、装着者Ｍの左目ＬＩにのみ画像を表示する。表示部１１は、支持手段である支持部１２を介して装着部１３に支持されている。装着部１３は、頭部Ｈの前面、すなわち、顔Ｆにかからない位置に装着可能とされている。装着部１３は、装着者Ｍの頭部Ｈに配置される２箇所の保持部１４、１５と、保持部１４及び保持部１５を連結する連結部１６とを有している。この実施の形態では、保持部１５は、接続部１７を介して連結部１６に固定され、顔Ｆの両側となる耳Ｙの位置に配置されている。
【００１８】
また、連結部１６は、顔Ｆと反対側の後頭部ＨＢに位置されている。連結部１６は、後頭部ＨＢに沿った曲線状に形成されている。連結部１６は、例えば、弾性を有する樹脂により形成されている。この実施の形態では、保持部１５には、音声出力手段であるスピーカ１８が配置されている。
【００１９】
そして、支持部１２は、表示部１１を装着者Ｍの左目ＬＩの眼前に配置する位置から、頭部側方を通って、後頭部側に水平に移動できるようになっている。支持部１２は、頭部側方に沿った曲線状に形成されている。支持部１２は、例えば、弾性を有する樹脂により形成されている。
【００２０】
そして、支持部１２は、頭部側方に沿って移動可能とされている。この実施の形態では、支持部１２は、装着部１３の連結部１６に収容可能とされ、連結部１６に沿って移動可能とされている。
【００２１】
図３は、表示部１１の内部構造の概要を示す図である。図３において（ａ）は縦断面図であり（（ｂ）のＢ−Ｂ断面図）、（ｂ）は平断面図（（ａ）のＡ−Ａ断面図）である。（ｂ）の下方が使用者の顔面方向である。なお、図３において、図１、図２に示された構成要素と同じ構成要素には、同じ符号を付してその説明を省略することがある。
【００２２】
表示部１１のケース２２内には、映像を表示する液晶パネル２４と、液晶パネル２４の画像を拡大して使用者の目に表示するための光学素子２３が配置されている。光学素子２３は、本発明の実施の形態の１例であり、省略して図示しているが、例えば、図１における、基板レンズ１と紫外線硬化型樹脂３とが密着したレンズ（非球面レンズ）がこれにあたる（ただし、図示しているものは別の形状を有するレンズである）。
【００２３】
この光学素子２３には、前述のように張り出し部１ａが設けられているが、この例においては、張り出し部１ａをケース２２に接着等で接合し、光学素子２３を表示部１１に固定するために使用している。その際、張り出し部１ａは、支持部１２の方向を向いて固定されている。図に示すように、表示部１１においては、支持部１２側にスペースを取りやすいので、この方向に向けて張り出し部１ａを固定することが好ましい。また、このようにすることにより、張り出し部１ａが、例えば、両眼の中心側に位置して結果的に表示部１１が大きくなることを防止できる。
【００２４】
なお、本発明は、このようなヘッドマウントディスプレイに限られない。例えば、連結部１６が頭頂部に位置するような装着部を有するものでもよく、その場合は、支持部１２は、連結部１６とは別に設けられた収納部に収納するようにしてもよい。
【図面の簡単な説明】
【００２５】
【図１】図１は、本発明の実施の形態の１例である光学素子の製造方法を示す図である。
【図２】本発明のヘッドマウントディスプレイの実施の形態の１例を示す図である。
【図３】表示部の内部構造の概要を示す図である。
【図４】従来のレンズの製造方法の例を示す図である。
【符号の説明】
【００２６】
１…基板レンズ、２…金型、３…紫外線硬化型樹脂、４…レンズ剥がし用治具、１１…表示部、１２…支持部、１３…装着部、１４…保持部、１５…保持部、１６…連結部、１７…接続部、１８…スピーカ、２２…ケース、２３…光学素子、２４…液晶パネル
【図１】
2007072017.tif 000003
【図２】
2007072017.tif 000004
【図３】
2007072017.tif 000005
【図４】
2007072017.tif 000006